(57)【特許請求の範囲】
【請求項１】
縦断面形状に於いて、水平上壁と、その内奥部から下方へ垂下される垂下壁と、この垂
下壁の下端から前方へ下端ほど低位となる傾斜壁とを一体に備えてなり、
水平上壁の上面には、前後方向の中間に上方へ突出する凸部で形成される返し部が備わ
っているとともに、水平上壁の上面の前方側は先端程下位となる傾斜面に形成されている
一方、
少なくとも垂下壁はセパレータを挿通、取り除き可能に形成されている孔を有する防水
処理用打ち込み型枠であって、
セメント系組成物を素材にして一体成形されており、矩形状に形成され、その傾斜壁の
四隅外面には面取りが施されてなることを特徴とする防水処理用打ち込み型枠。
【請求項２】
請求項１記載の防水処理用打ち込み型枠が、その凹入部が工作物の外方へ開放され、水
平上壁並びに傾斜壁の夫々の前端が工作物外表面とほぼ同一の仮想鉛直面上にあるように
して工作物内に一体に埋設されていることを特徴とする防水層の端部処理構造。
【発明の詳細な説明】
【技術分野】
【０００１】
本発明は、例えば屋上パラペットや外部腰壁、更には屋上スラブを貫通して設けられる
配管を引き込むための設備配管引き込み用上屋、また避雷針やテレビアンテナを固定する
基礎などの工作物、マンホールの開口部などの防水処理用打ち込み型枠とそれを用いた防
水層の端部処理構造に関する。
【背景技術】
【０００２】
従来より、これら工作物は、その側面に防水層を立ち上げて防水層の端部をシール処理
するために、俗に顎や笠木、更には水切り突部などと呼ばれる突出部（以下本発明では単
に突出部と称する）を形成するのが一般的で、工作物をコンクリートで構築する際、複雑
な型枠を形成して、工作物と一体的にこの突出部を形成する手法が採られている。また、
多くの場合、この突出部の下面には水きり溝が形成される。
【０００３】
しかし、この突出部を形成する型枠は複雑な形状を呈し、形成は煩雑で、熟練と多くの
手間を要するだけでなく、型枠脱型の際に水切り溝を形成する桟木を脱型し忘れる問題が
あった。しかも、これらは小規模な工作物なので、コンクリート型枠用パネル（コンパネ
）を小さく裁断して形成するものなので、脱型された型枠は他に転用できず、廃材として
廃棄せねばならず、改善が求められていた。
【０００４】
しかるところ、これら従来の手法の問題点を解決する新規な手法が後述の特許文献２で
提案された。この手法は、セメント系組成物によって、突出部形状のものを予め形成し、
これをパラペットなどの工作物の側面にボルトナットで後付するものである。
【０００５】
【特許文献１】特開平０６―５７９３４号公報
【特許文献２】特開平０７−６２８１９号公報
【発明の開示】
【発明が解決しようとする課題】
【０００６】
この特許文献２で提案された手法は、従来のように突出部形成のための複雑な型枠が不
要で、現場での型枠形成における労務と時間、更にはコストが軽減されたが、新たに突出
部形成のためのセメント系組成物の取り付けという労務が発生する。しかも、工作物とセ
メント系組成物との接合面から雨水などが浸透する危惧があり、工作物とセメント系組成
物との接合にシーリングが必要になるなど、新たな作業も発生し、全体としては必ずしも
労務、時間、コストの軽減にはならないという問題がある。
【０００７】
本発明は、これらの問題点を払拭するために鋭意研究した末に開発されたもので、従来
からの型枠を採用する手法を改め、突出部を形成するための凹入形の型枠を予め生産し、
これをパラペットなどの工作物を形成する際に一体に打ち込むと言う、所謂打ち込み型枠
を採用して実施した。その結果は期待どおりの好ましい実績を上げたのでここに提案する
。
【０００８】
したがって、本発明の目的は、基本的には、複雑な型枠を必要とせず、熟練も要せず、
従来どおり、工作物を得るための型枠を形成しコンクリートを流し込むだけで、防水層の
端部処理部を形成でき、労務、時間、コスト共に格段に軽減できるようにすることである
。
【課題を解決するための手段】
【０００９】
以上の技術的な課題を解決するために、本発明の請求項１に係る防水処理用打ち込み型
枠は、縦断面形状に於いて、水平上壁と、その内奥部から下方へ垂下される垂下壁と、こ
の垂下壁の下端から前方へ下端ほど低位となる傾斜壁とを一体に備えてなり、
水平上壁の上面には、前後方向の中間に上方へ突出する凸部で形成される返し部が備わ
っているとともに、水平上壁の上面の前方側は先端程下位となる傾斜面に形成されている
一方、
少なくとも垂下壁はセパレータを挿通、取り除き可能に形成されている孔を有するもの
であって、
セメント系組成物を素材にして一体成形されており、矩形状に形成され、その傾斜壁の
四隅外面には面取りが施されてなることを特徴とする防水処理用打ち込み型枠である。
【００１０】
このような防水処理用打ち込み型枠は、防水層の端部処理部を形成するための型枠を工
作物形成のための型枠の内面に着脱自在に取り付け、その後にこの工作物形成のための型
枠を工作物構築箇所に建て込み、次いでこの工作物形成のための型枠にコンクリートを打
設して前記型枠を埋設し、コンクリートが固化した後に、前記工作物形成のための型枠を
取り外すことによって、防水層の端部処理部を備えた工作物、つまり上屋、避雷針やテレ
ビアンテナを固定する基礎などの工作物が形成される。
【発明の効果】
【００１１】
したがって、本発明の請求項１に係る防水処理用打ち込み型枠は、工作物を構築するた
めの型枠を形成し、ここへコンクリートを流し込むだけで、防水層の端部処理部が得られ
、しかも複雑な型枠を作る必要が無く、熟練を要しない。併せて工作物の構築後に、新た
にセメント系組成物を取り付けるなどの作業も必要なく、労務の軽減は言うまでも無く、
時間、コストの軽減も一挙に達成できるようになった。
【００１２】
また、コンクリート打ち継ぎ部からの雨水などの浸透を上手く防止でき、打ち継ぎ部の
シーリング作業を不要にし、労務、時間、コストを更に軽減できる。
【００１３】
また、工作物構築のための型枠にこの防水層の端部処理部となる型枠を適正に取り付け
ることができたり、取り付け作業が効率的に行えたりすることができる。
【００１４】
更に、防水処理用打ち込み型枠は、請求項１に記載のように、矩形に形成され、その傾
斜壁の四隅外面には面取りが施されてなるのが望ましい。矩形のものは上屋、また、避雷
針やテレビアンテナを固定する基礎などに簡便に用いることができるからである。
【００１５】
また、請求項２に係る防水層の端部処理構造によれば、工作物を構築する型枠の内側に
この防水処理用打ち込み型枠を取り付け、この打ち込み型枠によって端部処理部を工作物
と一体に構築するものであるから、防水層の端部処理部の構築が、ほとんど工作物の型枠
を構築するだけの極めて単純な作業工程で得られるから、労務の大幅な軽減、更には工期
の短縮を図ることできる。
【００１６】
そして、請求項２に係る防水層の端部処理構造によれば、上記の効果以外にも、型枠形
成の手間を軽減できる。
つまり、長尺物の防水処理用打ち込み型枠を矩形に合わせて斜めに切断して組み付ける
には手間が掛かるが、予め工場生産などすることで、現場での作業の効率を大幅に高める
ことができる。しかも、この防水処理用打ち込み型枠はその各コーナー部において、水平
上壁の下面を工作物を構築するための型枠に設けた面木の上端面上に載置できるので、こ
の防水処理用打ち込み型枠を設置する高さに合わせて面木を設けておくだけで、この防水
処理用打ち込み型枠を、作業者一人でも容易に設置でき、後はセパレータとフォームタイ
で固定すれば良いので、防水処理用打ち込み型枠の所定位置への設置作業が大幅に改善さ
れる特有の効果がある。
【発明を実施するための最良の形態】
【００１７】
以下、実施例を掲げて本発明を更に詳細に説明する。しかし、本発明の範囲はかかる実
施例に制限されるものではない。
【００１８】
（実施例１）
この実施例１では、屋上に設けられる工作物の一例であるパラペットの側面に、ほぼ台
形状に凹入させて防水層の端部処理部を形成するために本発明が適用される場合について
説明する。
【００１９】
図１は、この発明に係る防水処理用打ち込み型枠が長尺物として形成された場合を示し
た斜視図で、図中１は型枠である。
この型枠１は、縦断面形状に於いて、水平上壁２と、その内奥部から下方へ鉛直に垂下
される垂下壁３と、この垂下壁３の下端から前方へ下端ほど低位となる傾斜壁４と、前記
垂下壁３に所定間隔を置いて配されるセパレータ貫通孔５と、前記水平上壁２の前端部下
面に凹入形成される水切り目地６と、更にこの水平上壁２の上面には、その前端から奥部
全長の三分の一に当たる部位が前端ほど下位となる傾斜面２Ａに形成され、また、この水
平上壁２の上面で前記傾斜面２Ａの後端縁から最奥部にわたる位置に上方に向かって一体
に立ち上げられた不等辺台形状の凸部７とが一体に設けられている。
【００２０】
この型枠１は、セメント系組成物、具体的には、例えばガラス繊維補強セメント（ＧＲ
Ｃ）を素材にして一体成形されている。
【００２１】
また、図２にも明らかな通り、水平上壁２の前端と傾斜壁４の下端（前端）とは同一鉛
直線上に位置するように予め寸法設定されている。図３に示すように、共にパラペットＰ
の内壁面Ｐ１と同じ鉛直仮想平面上にあるようにするためである。
【００２２】
このような長尺物の型枠１は、必然的に水平上壁２の下に、不等辺台形状の凹入部８が
形成されることになる。
【００２３】
次に、このように形成された長尺物の型枠１を用いてパラペットＰの内壁面Ｐ１に、所
謂突出部と称される防水層の端部処理部を構築する方法を図２にしたがって詳述する。
【００２４】
図２に示すように、先ず、型枠１のセパレータ貫通孔５に夫々セパレータ１０を挿通し
ておく。
次いで、この型枠１をパラペットＰを構築するための型枠９の内、内側の型枠９Ａのコ
ンクリート打設側の内面に当て付けるとともに、セパレータ１０の他端を内側の型枠９Ａ
側に設けたセパレータ貫通孔１１に挿通し、このセパレータ１０をフォームタイ（登録商
標）１２によって締め付けておく（短寸のセパレータは軸足とも言われるが、本明細書で
は、短寸のセパレータも単にセパレータと言う）。
【００２５】
このようにして得られた内側の型枠９Ａと外側の型枠９Ｂとをセパレータ１３とフォー
ムタイ（登録商標）１４によってパラペット構築空間Ｓを得る。次いで、得られたパラペ
ット構築空間Ｓ内にコンクリートＣを流し込み、固化を待って内外両側の型枠９Ａ、９Ｂ
を取り除く。型枠９を取り除いた後には、図３に示すように、内面に不等辺の台形凹入部
８の備わったパラペットＰが得られる。また、前記型枠１をパラペット構築のための内側
の型枠９Ａに保持しているセパレータ１０はこれを前記垂下壁３のセパレータ貫通孔５か
ら取り除く。
【００２６】
得られたパラペットＰは、長尺物に形成された型枠１が、その凹入部８がパラペットＰ
の外方へ開放され、水平上壁２並びに傾斜壁４の夫々の前端がパラペットＰの外表面とほ
ぼ同一の仮想鉛直面上にあるようにしてこのパラペットＰ内に一体に埋設される。
【００２７】
引き続き表面処理Ｆ、例えばモルタルこて押さえなどして外表面を整える。また、パラ
ペットＰの内面Ｐ１の下部表面は、屋上面から防水シート１５が立ち上げられる。この防
水シート１５は、防水層の端部処理部、つまりは型枠１の傾斜壁４の表面から更に垂下壁
３の表面を覆うように設置され、端縁をこの垂下壁３の上端と水平上壁２の内奥部の下面
との角隅でシール材１６によって水密的に始末して、防水処理を施す。
【００２８】
したがって、この発明に言う防水層の端部処理部とは、この打ち込み用の型枠１の水平
上壁２、垂下壁３、そして傾斜壁４によって形成された前記凹入部８を含めた突出部Ｐ２
（後述）を指す。
【００２９】
尚、図２及び図３中、符号１７で示される部材はパラペットＰの内部に配置される鉄筋
である。
【００３０】
このように構成された長尺物として形成された型枠１は、パラペットＰを構築するため
の型枠９に着脱自在に取り付けられて、打ち込み型枠として用いることができるようにな
ったので、従来のものと全く違って、工作物を構築するための型枠にコンクリートを流し
込むだけで、突出部Ｐ２が得られる。しかも複雑な型枠は一切不要であり、したがってま
た熟練を要しない。併せてパラペットＰの構築後に、新たにセメント系組成物を取り付け
るなどの作業も必要なく、労務の軽減は言うまでも無く、時間、コストの軽減も一挙に達
成できるようになった。
【００３１】
また、この型枠１は、水平上壁２の上面に前後方向の中間に上方へ突出する凸部７で形
成される返し部が備わり、しかも水平上壁２の上面の前方側は先端程下位となる傾斜面２
Ａに形成されているので、コンクリート打ち継ぎ部からの雨水などの浸透を上手く防止で
き、打ち継ぎ部のシーリング作業を不要にし、労務、時間、コストを更に軽減できる。
【００３２】
また、この型枠１を用いたパラペットＰの突出部Ｐ２を構築する方法は、パラペットＰ
を構築する型枠９の内側の型枠９Ａにこの型枠１を取り付け、この型枠１を打ち込み型枠
としてパラペットＰと一体に構築できるから、突出部Ｐ２の構築が、ほとんどパラペット
Ｐを構築するだけの極めて単純な作業工程で得られ、労務の大幅な軽減、更には工期の大
幅な短縮を図ることできる。
【００３３】
（実施例２）
この実施例２では、屋上Ｒに設けられる工作物の一例である屋上スラブを貫通して設け
られる配管を引き込むための設備用配管引き込み用上屋（以下単に上屋と言う）の側面に
、ほぼ台形状に凹入させて防水層の端部処理部を形成するために本発明が適用される場合
について、図４〜７の記載に基づいて、以下説明する。
【００３４】
図４は、この発明に係る防水処理用打ち込み型枠が矩形（図例では正方形）に形成され
た場合を示した斜視図、また、図５は拡大端面図で、共に図中の符号１０１で示す部材は
型枠である。
【００３５】
この型枠１０１は、この上屋の平面視での外形形状に合うように、予め平面視で方形に
形成される。
長尺の型枠１０１を現場において、上屋Ｐの外形形状に合わせて、端部を斜め切りにし
た短尺物を四本作り、その端部同士を直角にして互いに繋ぎ合わせる作業に多くの労務と
時間を要するため、その無駄を解消するためである。
【００３６】
この方形の型枠１０１の縦断面形状は前記実施例１の型枠１のそれと同じである。
すなわち、図５にも示すように、水平上壁２０と、その内奥部から下方へ鉛直に垂下さ
れる垂下壁３０と、この垂下壁３０の下端から前方へ下端ほど低位となる傾斜壁４０と、
前記垂下壁３０に所定間隔を置いて配されるセパレータ貫通孔５０と、前記水平上壁２０
の前端部下面に凹入形成される水切り目地６０と、更にこの水平上壁２０の上面には、そ
の前端から奥部全長の三分の一に当たる部位が前端ほど下位となる傾斜面２０Ａに形成さ
れ、また、この水平上壁２０の上面で前記傾斜面２０Ａの後端縁から最奥部にわたる位置
に上方に向かって一体に立ち上げられた不等辺台形状の凸部７０とが一体に設けられてい
る。
【００３７】
ただ、前記実施例１と異なる形状は、図４に示すように、先ず方形であることと、前記
傾斜壁４０の四隅外面に面取り４０１が施されていることである。この面取りは、上屋Ｐ
の外表面Ｐ３の四つの角隅は、防水シートを施すに当たって、これを施し易くするために
面取りが施されるものであるから、その形状に合わせたものである。
【００３８】
この型枠１０１は、セメント系組成物、具体的には、例えばガラス繊維補強コンクリー
ト（ＧＲＣ）を素材にして一体成形されている。
【００３９】
また、図４〜８にも明らかな通り、水平上壁２０の前端と傾斜壁４０の下端（前端）と
は同一鉛直線上に位置するように予め寸法設定されている。図８に示すように、共に上屋
Ｐの外壁面Ｐ３と同じ鉛直仮想平面上にあるようにするためである。
【００４０】
このような矩形の型枠１０１は、必然的に水平上壁２０の下に、不等辺台形状の凹入部
８０が形成されることになる。
【００４１】
次に、このように形成された矩形の型枠１０１を用いて上屋Ｐの外壁面Ｐ３に、所謂突
出部Ｐ２と称される防水層の端部処理部を構築する方法を図６〜８の記載に基づいて詳述
する。
【００４２】
先ず、図６、７に示すように、上屋Ｐを構築するための型枠９０の建て込みを行う。
配管を引き込むための開口Ｏを形成するために、先ず内側の型枠９０Ａを矩形に組み立
て屋上Ｒの挿通孔Ｔに建て込む。次いで、所定の間隔（壁厚）を開けてこの内側の型枠９
０Ａの周囲に外側の型枠９０Ｂを建て込む。外側の型枠９０Ｂと内側の型枠９０Ａとをセ
パレータ１３０とフォームタイ（登録商標）１４０によって固定し、上屋Ｐの構築空間Ｓ
を得る。
【００４３】
ここで重要な点は、この外側の型枠９０Ｂを立て込む際に、図６に示すように、その内
側の四つの角隅に面木１０２を設けることである。この面木１０２は、型枠１０１が取り
付けられる高さ位置に合わせてその高さ寸法が設定される。
【００４４】
次いで、型枠１０１を構築空間Ｓ内に組み込むのであるが、このとき、型枠１０１をこ
の構築空間Ｓ内に挿入し、前記面木１０２の上端に水平上壁２０の四隅下面を載置して、
一時的にその取り付け姿勢を確保する。
【００４５】
引き続き、型枠１０１を前記外側の型枠９０Ｂのコンクリート打設側の内面に当て付け
るとともに、セパレータ１００の他端を外側の型枠９０Ｂ側に設けたセパレータ貫通孔１
１０（図６参照）に挿通し、このセパレータ１３０をフォームタイ（登録商標）１４０に
よって締め付けておく。
【００４６】
このように、面木１０２を設けることと、型枠１０１の傾斜壁４０の四隅に面取り４０
１を施すことによって、一人の作業者であっても、型枠１０１を構築空間Ｓを得る前記外
側の型枠９０Ｂに簡便に取り付けることができるのである。
【００４７】
次いで、このようにして得られた上屋構築空間Ｓ内にコンクリートを流し込み、固化を
待って内外両側の型枠９０Ａ、９０Ｂを取り除く。型枠９０を取り除いた後には、図８に
示すように、四周外面に連続した不等辺の台形凹入部８０の備わった上屋Ｐが得られる。
また、前記型枠１０１を上屋構築のための外側の型枠９０Ｂに保持しているセパレータ１
３０はこれを前記垂下壁３０のセパレータ貫通孔５０（図５参照）から取り除く。
【００４８】
得られた上屋Ｐは、矩形に形成され傾斜壁の四隅外面には面取りが施された型枠１０１
が、その凹入部８０が上屋Ｐの四周外方へ開放され、水平上壁２０並びに傾斜壁４０の夫
々の前端が上屋Ｐの外表面とほぼ同一の仮想鉛直面上にあるようにして上屋Ｐ内に一体に
埋設される。
【００４９】
引き続き、表面処理Ｆ、例えばモルタルこて押さえなどして外表面を整える。また、上
屋の外面Ｐ３の下部表面は、屋上Ｒ面から防水シート１５０が立ち上げられる。この防水
シート１５０は、前記防水層の端部処理部、つまりは型枠１０１の傾斜壁４０の表面から
更に垂下壁３０の表面を覆うように設置され、端縁をこの垂下壁３０の上端と水平上壁２
０の内奥部の下面との角隅でシール材１６０によって水密的に始末して、防水処理を施す
（図８参照）。
【００５０】
尚、図６〜８中、符号１７０で示される部材は上屋Ｐの内部に配される鉄筋である。
【００５１】
このように構成された方形に形成された型枠１０１は、上屋Ｐを構築するための型枠９
０に着脱自在に取り付けられて、打ち込み型枠として用いることができるようになったの
で、従来のものと全く違って、工作物を構築するための型枠にコンクリートＣを流し込む
だけで、上屋Ｐが得られる。しかも複雑な型枠は一切不要であり、したがってまた熟練を
要しない。併せて上屋Ｐの構築後に、新たにセメント系組成物を取り付けるなどの作業も
必要なく、労務の軽減は言うまでも無く、時間、コストの軽減も一挙に達成できる。加え
て、面木１０２を設けることと、型枠１０１の傾斜壁４０の四隅に面取り４０１を施すこ
とによって、一人の作業者であっても、型枠１０１を前記外側の型枠９０Ｂに簡便に取り
付けることができるのである。
【００５２】
尚、以上の各実施例において、型枠１、１０１を工作物用の型枠９、９０に取り付ける
に当たって、セパレータ１０，１３０並びにフォームタイ（登録商標）１２、１４０を採
用したが、必要に応じて他の部材を転用しても良い。また、実施例２で型枠１０１は方形
の例を示したが、必ずしも祖この形状に限定されることなく、広い概念の矩形であればど
のような形状にも転用できる。更に各実施例では防水層の端部処理部を形成する場合を説
明したが、適用される箇所は、例えば床下の基礎などでも良く、本発明の概念を逸脱しな
い範囲でいかなる場所にも適用できる。また、型枠１、１０１における凸部７、７０は、
水返しによる止水機能が期待できるものであれば足り、不等辺台形状である必要はないの
で、例えば、図９に示すように、テーパー面で形成される山型形状の凸部７、７０であっ
てもよい。
【図面の簡単な説明】
【００５３】
【図１】本発明に係る防水処理用打ち込み型枠の実施例１の外観斜視図である。
【図２】図１に示される防水処理用打ち込み型枠を用いたパラペットの構築状況の説    明図である。
【図３】図１に示される防水処理用打ち込み型枠を用いたパラペットの構築完成図で    ある。
【図４】本発明に係る防水処理用打ち込み型枠の実施例２の外観斜視図である。
【図５】図４に示される防水処理用打ち込み型枠の拡大端面図である。
【図６】図４に示される防水処理用打ち込み型枠を用いた上屋の構築状況の説明平面    図である。
【図７】図４に示される防水処理用打ち込み型枠を用いた上屋の構築状況の説明図で    ある。
【図８】図４に示される防水処理用打ち込み型枠を用いた上屋の完成図である。
【図９】本発明に係る防水処理用打ち込み型枠の他の実施例を示す断面図である。
【符号の説明】
【００５４】
１、１０１…型枠
２、２０…水平上壁
３、３０…垂下壁
４、４０…傾斜壁
５、５０…セパレータ貫通孔
６、６０…水きり目地
７、７０…凸部
８、８０…凹入部
９、９０…型枠
１０、１３０…セパレータ
１１、１１０…セパレータ貫通孔
１２、１４０…フォームタイ
１５、１５０…防水シート
１６、１６０…シール材
Ｃ…コンクリート
Ｐ…パラペット（上屋）
Ｐ１…内面
Ｐ２…突出部
Ｐ３…外表面
Ｒ…屋上
Ｓ…構築空間
【図１】
0005342773.tif 000002
【図２】
0005342773.tif 000003
【図３】
0005342773.tif 000004
【図４】
0005342773.tif 000005
【図５】
0005342773.tif 000006
【図６】
0005342773.tif 000007
【図７】
0005342773.tif 000008
【図８】
0005342773.tif 000009
【図９】
0005342773.tif 000010